(57)【特許請求の範囲】
【請求項１】
入力された画像信号を補正して所望の表示特性で表示パネルに画像を表示させる補正後画像信号に変換する表示特性補正部と、
時間経過を算出する時間経過算出部とを備え、
前記表示特性補正部は、前記時間経過算出部の出力に基いて、前記表示特性を、第１表示特性から第２表示特性に２日以上かけて変化させる、表示装置。
【請求項２】
前記時間経過算出部は、経過時間とイベント発生回数の少なくとも１つに基いて時間経過を算出する、請求項１に記載の表示装置。
【請求項３】
第１表示特性は、ユーザー所望の表示特性であり、
第２表示特性は、前記表示装置に要求される規格の表示特性又は前記表示装置の性能を発揮できる表示特性である、請求項１又は請求項２に記載の表示装置。
【請求項４】
第１及び第２表示特性は、それぞれ、前記表示装置のキャリブレーション前及びキャリブレーション後の表示特性である、請求項１又は請求項２に記載の表示装置。
【請求項５】
前記表示特性を第１表示特性から第２表示特性に変化させるまでの変化時間、又は前記表示特性を第１表示特性から第２表示特性に変化させる際の変化速度を決定する変化条件設定部をさらに備える、請求項１〜請求項４の何れか１つに記載の表示装置。
【請求項６】
前記変化条件設定部は、ユーザーが操作可能であるように構成されている、請求項５に記載の表示装置。
【請求項７】
前記変化条件設定部は、第１表示特性と第２表示特性の差に基いて、前記変化時間を設定する、請求項５又は請求項６に記載の表示装置。
【請求項８】
前記変化条件設定部は、前記表示特性を変化させる前後の色差が所定値以下になるように、前記表示特性の変化速度を設定する、請求項５〜請求項７の何れか１つに記載の表示装置。
【請求項９】
前記表示特性補正部は、前記表示装置の不使用時又は使用開始時に前記表示特性を変化させる、請求項１〜請求項８の何れか１つに記載の表示装置。
【請求項１０】
前記表示特性補正部は、入力された画像信号を補正値に基いて補正して補正後画像信号に変換する補正実行部と、前記補正値を第１表示特性に対応した第１補正値から第２表示特性に対応した第２補正値に２日以上かけて変化させる補正量算出部とを備える、請求項１〜請求項９の何れか１つに記載の表示装置。
【請求項１１】
前記表示特性補正部は、入力された画像信号を第１表示特性に対応した第１補正値に基いて補正して第１画像信号に変換する第１補正実行部と、入力された画像信号を第２表示特性に対応した第２補正値に基いて補正して第２画像信号に変換する第２補正実行部と、第１画像信号と第２画像信号から前記補正後画像信号を合成する信号合成部とを備え、
前記信号合成部は、前記補正後画像信号を第１画像信号から第２画像信号に２日以上かけて変化させる、請求項１〜請求項９の何れか１つに記載の表示装置。
【請求項１２】
第１及び第２補正値を記憶する記憶部をさらに備える、請求項１０又は請求項１１に記載の表示装置。
【請求項１３】
第１補正値は、第１ルックアップテーブルと第１マトリクスの少なくとも一方を含み、第２補正値は、第２ルックアップテーブルと第２マトリクスの少なくとも一方を含む、請求項１０〜請求項１２の何れか１つに記載の表示装置。
【発明の詳細な説明】
【技術分野】
【０００１】
この発明は、液晶ディスプレイ装置などの表示装置に関する。
【背景技術】
【０００２】
医用モニタ、特に内視鏡用モニタにおいては、新規システム導入時にモニタの色味が変化することを忌避する傾向がある。これは色味が異なるモニタで診断することによって、内臓器官や血管等の状態を把握しにくくなったり、あるいは臓器の区別がつきにくくなる可能性があるためである。また、仮にモニタの表示能力が同等であったとしても、内視鏡カメラや画像処理装置によって異なる色味が生じる場合があり、同様の問題が生じた。このため医用システムベンダー側では、プリセット値を旧製品と同等の色味にするという対策のほか、オンサイトで手動あるいは自動によってリプレース対象のモニタと同等の色味に補正してきた。
【発明の概要】
【発明が解決しようとする課題】
【０００３】
近年のモニタエミュレーション技術は進歩しており、特に３Ｄ−ＬＵＴ技術の採用によって、旧製品とほぼ同等の色味を実現できるようになってきた。しかし、旧製品は仕様や経年劣化によって、色彩工学的には歪みのある表示特性である場合が多く、更にリプレースとエミュレーションを繰り返すことによって劣化の蓄積が生じる問題があった。結果として、最悪の場合は色域が狭く歪み、階調特性がなめらかではなく、輝度も低い内視鏡システムでの診療を余儀なくされる可能性がある。旧製品からのリプレースによる色味の急激な変化を抑えつつ、より良い表示品質を提供するという課題の解決が求められている。
【０００４】
本発明はこのような事情に鑑みてなされたものであり、表示特性の変化による違和感をユーザーに感じさせることなく、改善された表示特性での表示を可能とする表示装置を提供するものである。
【課題を解決するための手段】
【０００５】
本発明によれば、入力された画像信号を補正して所望の表示特性で表示パネルに画像を表示させる補正後画像信号に変換する表示特性補正部と、時間経過を算出する時間経過算出部とを備え、前記表示特性補正部は、前記時間経過算出部の出力に基いて、前記表示特性を、第１表示特性から第２表示特性に２日以上かけて変化させる、表示装置が提供される。
【０００６】
本発明者らは上記課題を解決すべく検討を行い、最初は、表示装置の電源をＯＮにした直後から数分から数時間かけて徐々に表示特性を変化させることを考えた。このような方法を採用すれば、その日のうちは表示特性の変化にユーザーに気づかせずに、表示品質を改善させることができるからである。しかし、その日の仕事を終え、一晩休むと、ユーザーが記憶している以前の画質が自然に思い出されてしまい、翌日に改善された画質を見た時に、違和感を感じてしまう場合があることが分かった。
【０００７】
そこで、本発明者らはさらに検討を進めたところ、２日以上の時間をかけて、ユーザーが記憶する画質を徐々に変化させれば、表示特性の変化による違和感をユーザーに感じさせずに、表示特性を改善させることができることを見出し、本発明の完成に到った。
【０００８】
本発明のポイントは、表示特性補正部が表示特性を変化させる時間が２日以上という長い時間であることである。ユーザーに違和感を感じさせることなくユーザーが記憶する画質を変化させるのに必要な時間は、それまでの表示装置の使用期間やユーザー個人の特性によって変わるが少なくとも２日は必要である。従来技術には、電力消費の低減の目的で、電源ＯＮの直後からユーザーに違和感を感じさせないように輝度を徐々に変化させるものが存在しているが（例えば特開２００５−２３６５２０号）、このような技術では、翌日には、電源ＯＮの直後には、再度、輝度が高い状態で開始されることが想定されており、表示特性を数日かけて徐々に変化させるという本願発明の技術的思想とは全く別物である。
【０００９】
以下、本発明の種々の実施形態を例示する。以下に示す実施形態は互いに組み合わせ可能である。
好ましくは、前記時間経過算出部は、経過時間とイベント発生回数の少なくとも１つに基いて時間経過を算出する。
好ましくは、第１表示特性は、ユーザー所望の表示特性であり、第２表示特性は、前記表示装置に要求される規格の表示特性又は前記表示装置の性能を発揮できる表示特性である。
好ましくは、第１及び第２表示特性は、それぞれ、前記表示装置のキャリブレーション前及びキャリブレーション後の表示特性である。
好ましくは、前記表示特性を第１表示特性から第２表示特性に変化させるまでの変化時間、又は前記表示特性を第１表示特性から第２表示特性に変化させる際の変化速度を決定する変化条件設定部をさらに備える。
好ましくは、前記変化条件設定部は、ユーザーが操作可能であるように構成されている。
好ましくは、前記変化条件設定部は、第１表示特性と第２表示特性の差に基いて、前記変化時間を設定する。
好ましくは、前記変化条件設定部は、前記表示特性を変化させる前後の色差が所定値以下になるように、前記表示特性の変化速度を設定する。
好ましくは、前記表示特性補正部は、前記表示装置の不使用時又は使用開始時に前記表示特性を変化させる。
好ましくは、前記表示特性補正部は、入力された画像信号を補正値に基いて補正して補正後画像信号に変換する補正実行部と、前記補正値を第１表示特性に対応した第１補正値から第２表示特性に対応した第２補正値に２日以上かけて変化させる補正量算出部とを備える。
好ましくは、前記表示特性補正部は、入力された画像信号を第１表示特性に対応した第１補正値に基いて補正して第１画像信号に変換する第１補正実行部と、入力された画像信号を第２表示特性に対応した第２補正値に基いて補正して第２画像信号に変換する第２補正実行部と、第１画像信号と第２画像信号から前記補正後画像信号を合成する信号合成部とを備え、前記信号合成部は、前記補正後画像信号を第１画像信号から第２画像信号に２日以上かけて変化させる。
好ましくは、第１及び第２補正値を記憶する記憶部をさらに備える。
好ましくは、第１補正値は、第１ルックアップテーブルと第１マトリクスの少なくとも一方を含み、第２補正値は、第２ルックアップテーブルと第２マトリクスの少なくとも一方を含む。
【図面の簡単な説明】
【００１０】
【図１】本発明の第１実施形態の表示装置の構成を示すブロック図である。
【図２】補正値算出式又は画像信号合成式中のｋの、使用期間に応じた遷移の一例を示す。
【図３】表示特性を変化させる前後の色差が所定値以下になるように表示特性の変化速度を設定する方法を実現するためのフローを示す。
【図４】本発明の第２実施形態の表示装置の構成を示すブロック図である。
【発明を実施するための形態】
【００１１】
以下、本発明の種々の実施形態について説明する。以下の示す実施形態中で示した各種特徴事項は、互いに組み合わせ可能である。第２実施形態以降において説明を省略した部分は、第１実施形態と同様である。
【００１２】
（第１実施形態）
図１は、本発明の第１実施形態の表示装置１の構成を示すブロック図である。本実施形態の表示装置１は、入力された画像信号Ｓ１を補正して所望の表示特性で表示パネル５に画像を表示させる補正後画像信号Ｓ２に変換する表示特性補正部３と、時間経過を算出する時間経過算出部７とを備える。
【００１３】
画像信号Ｓ１は、例えばパーソナルコンピュータや内視鏡装置などの信号源から出力された画像信号であり、通常は、Ｒ（赤）、Ｇ（緑）、Ｂ（青）のそれぞれについての階調値で構成される。階調値は、例えば８ビットで表現される。
【００１４】
画像信号Ｓ１は、表示特性補正部３によって変換されて、補正後画像信号Ｓ２となる。表示特性補正部３は、補正量算出部１７によって設定された補正値に基いて補正を行う補正実行部１５を備える。補正実行部１５は、所望の表示特性を実現するために必要な補正処理を行う機能を有し、一例では、前段１Ｄ−ＬＵＴ（ルックアップテーブル）２３と、色変換マトリクス２５と、３Ｄ−ＬＵＴ２７と、後段１Ｄ−ＬＵＴ２９を用いた補正処理を実行する。
【００１５】
１Ｄ−ＬＵＴは、Ｒ，Ｇ，Ｂのそれぞれについて設けられた一次元のルックアップテーブルであり、前段１Ｄ−ＬＵＴ２３では、表示パネル（例：液晶パネル）が個体差を有さないものと考えて、ガンマ値が所望の値（例えば２．２）になるように出力階調の補正を行い、後段１Ｄ−ＬＵＴ２９では、表示パネル毎に異なる階調特性を所望のガンマ値になるようにして滑らかな階調特性を実現するために出力階調を補正する。
【００１６】
色変換マトリクス２５は、例えば、Ｒ、Ｇ、Ｂ成分に対応する変換係数で構成される３×３マトリクスであり、色変換マトリクス２５を用いた補正処理によって、色温度や色座標の調整を行う
【００１７】
３Ｄ−ＬＵＴ２７は、Ｒ，Ｇ，Ｂの入力階調値の各組み合わせに対して、Ｒ，Ｇ，Ｂの所望の出力階調値の組み合わせを格納した三次元のルックアップテーブルであり、３Ｄ−ＬＵＴ２７を用いた補正処理によって、Ｒ，Ｇ，Ｂの加法混色では正確に再現できない色を再現できるようになり、色再現性が向上する。
【００１８】
なお、１Ｄ−ＬＵＴ、３Ｄ−ＬＵＴは、それぞれ一次元もしくは三次元の階調特性変換回路の実現例にすぎず、所望の特性を実現するための数式に相当する回路であれば足りる。このような構成の変更は、精度や回路規模や設計期間の都合により採択するものである。これらの補正回路（マトリクス、１Ｄ−ＬＵＴ、３Ｄ−ＬＵＴ）は単体で使われる場合もあるが、図１に示すようにより高精度な補正のために複数同時に必要とされることが一般的である。
【００１９】
補正量算出部１７によって設定される補正値とは、補正実行部１５が補正を行う際に使用するパラメータであり、１Ｄ−ＬＵＴ又は３Ｄ−ＬＵＴでは、ルックアップテーブルの各入力階調値に対応する出力階調値であり、色変換マトリクスでは、マトリクスの各成分の値である。
【００２０】
本実施形態の表示装置１では、表示特性補正部３は、補正量算出部１７が設定する補正値を第１補正値Ｖ１から第２補正値Ｖ２へ２日以上の時間をかけて変化させ、これによって、表示装置１の表示特性を第１表示特性Ｄ１から第２表示特性Ｄ２に２日以上かけて変化させることを可能にしている。第１補正値Ｖ１は、例えば旧製品の表示特性をエミュレーションするための補正値であり、表示特性を旧製品の白色点やゲインに合うように補正すべく補正値が設定される。第２補正値Ｖ２は、高品位な表示を実現するための補正値である。使用開始当初は旧製品の表示特性を忠実にエミュレートするが、使用時間あるいは、日数、使用回数が増えるに従って、徐々に理想的な高品位表示にシフトさせる。医師などのユーザーに表示品位の変化を気付かせない程度のスピードで、漸次改善を図ることにより、背景技術の項で説明した課題を解決する。
【００２１】
第２表示特性としては、ｓＲＧＢなどの標準的なものの他に各医療機関・病院等、更には地域ごとで標準的に採用されてるものがある。具体的には、例えばｓＲＧＢではその固有の色域の他、階調特性γ＝２．２、色温度６５００Ｋが定められている。また、Ｘ線医用画像モニタでは階調特性がいわゆるＤＩＣＯＭカーブとなるようにすることを推奨されている。旧製品では、当初の仕様や経年劣化等によってこれらの推奨特性から外れている場合があるが、このような漸次改善により推奨値に収束させることができる。
【００２２】
このように、ユーザー所望の第１表示特性Ｄ１で表示パネル５に画像を表示させるように第１補正値Ｖ１を設定し、表示装置１に要求される規格の表示特性又は表示装置１の性能を発揮できる表示特性からなる第２表示特性Ｄ２で表示パネル５に画像を表示させるように第２補正値Ｖ２を設定し、補正量算出部１７が設定する補正値を第１補正値Ｖ１から第２補正値Ｖ２へ２日以上の時間をかけて変化させることによって、旧製品からのリプレースによる色味の急激な変化を抑えつつ、より良い表示品質を提供することが可能になる。
【００２３】
また、別の用途では、表示装置１のキャリブレーション前の第１表示特性Ｄ１で表示パネル５に画像を表示させるように第１補正値Ｖ１を設定し、表示装置１のキャリブレーション後の第２表示特性Ｄ２で表示パネル５に画像を表示させるように第２補正値Ｖ２を設定し、補正量算出部１７が設定する補正値を第１補正値Ｖ１から第２補正値Ｖ２へ２日以上の時間をかけて変化させてもよい。色温度や輝度の経時変化により表示品質が劣化した場合に、表示装置１のキャリブレーションを行うことによって、色温度及び輝度を最適な状態して表示品質を向上させることができるが、キャリブレーションの前後の表示特性の変化に対して違和感を感じるユーザーもいる。しかし、本実施形態の表示装置１を用い、上記のように、キャリブレーション前の第１表示特性Ｄ１からキャリブレーション後の第２表示特性Ｄ２へゆっくりと変化させることによって、ユーザーに違和感を与えることなく、表示装置１の表示品質を向上させることができる。
【００２４】
なお、第１及び第２補正値Ｖ１，Ｖ２の具体的な内容は、補正実行部１５が行う補正の内容によって決まるが、例えば、第１補正値Ｖ１は、第１ルックアップテーブルと第１マトリクスの少なくとも一方を含み、第２補正値Ｖ２は、第２ルックアップテーブルと第２マトリクスの少なくとも一方を含む。
【００２５】
第１及び第２補正値Ｖ１，Ｖ２は、表示装置１内に設けられた記憶部（図示せず）に格納してもよく、画像信号Ｓ１の信号源の記憶部に格納されているものを読み出してもよい。
【００２６】
また、第１及び第２補正値Ｖ１，Ｖ２は、所望の表示特性によって定まる固定された値であってもよいが、外付けセンサやモニタ内部の内光センサなどの測定部９からの測定値に基いて補正した値であってもよい。これによって、表示装置１自体の経時・経年変化がキャリブレーションされるので、より優れた表示品質の提供が可能になる。
【００２７】
補正量算出部１７は、時間経過を算出する時間経過算出部７からの出力に基いて、設定する補正値を変化させる。時間経過算出部７が時間経過を算出する方法は、特に限定されないが、例えば、経過時間とイベント発生回数の少なくとも１つに基いて時間経過を算出することができる。表示装置１が計時機能を有している場合には、ある基準時点からの経過時間や、ある基準時点に設定したタイマーの残り時間に基いて、時間経過を直接算出することができる。一方、表示装置１が計時機能を有さない場合、イベント発生回数に基いて、時間経過を概算的に算出することが好ましい。ここでいう、「イベント」とは、表示装置１が設置される環境において生じる事象であって、表示装置１が検知可能なものである。イベントの例としては、表示装置の電源ＯＮ又は電源ＯＦＦ、人感センサによる人の存在の検知、照度センサによる暗闇の検知などが挙げられる。例えば、一日のうちの仕事の始まりに表示装置の電源をＯＮにし、昼休み前にＯＦＦにし、午後の仕事初めにＯＮにし、帰宅前にＯＦＦにするという習慣を有している場合、電源ＯＮ回数２回又は電源ＯＦＦ回数２回が１日に相当するように設定を行えば、電源ＯＮ回数又は電源ＯＦＦ回数を数えることによって時間経過を算出することができる。また、表示装置１が人感センサを有しており、このセンサによる人の検知回数が１日に１０回程度であれば、１０回の検知を１日に相当すると設定すればよい。また、表示装置１が照度センサを有している場合、夜の暗闇に相当する照度低下の検知回数が１日に１回であれば、１回の検知を１日に相当すると設定すればよい。このように、時間経過算出部７は種々の方法によって時間経過を算出することができる。
【００２８】
補正量算出部１７が補正値を第１補正値Ｖ１から第２補正値Ｖ２へ変化させる方法は特に限定されず、補正の開始時点での補正値が第１補正値Ｖ１であり、そこから時間の経過とともに徐々に第２補正値Ｖ２に近づく方法であればよい。一例としては、補正量算出部１７が設定する補正値は、以下のように、第１補正値Ｖ１と第２補正値Ｖ２の線形結合（加重平均）によって算出することができる。
[補正値算出式]
補正値＝（１−ｋ）（Ｖ１）＋ｋ（Ｖ２）（但し、０≦ｋ≦１）
【００２９】
上記の補正値算出式において、ｋは、使用開始時は０であるが、使用期間や日数の増加応じて１に近づく係数である。図２は、ｋを使用期間に応じて変動させ、ある設定時Ｔでｋ＝１にクリップする場合のｋの遷移を示している。図２のようにｋを一次関数によって増加させてもよいが、単調非減少の関係であればよい。さらにシグモイド関数のようにｋを変化させることにより使用開始時と設定時付近の変化を軽減させることで、変化を体感させにくくすることもできる。また、ｋは設定時Ｔで飽和させる必要も無く、完全にｋ＝１に至らせず、ｋ＝１に漸近させる変化でもよい。上記のｋ＝１に至るもしくは漸近する設定時Ｔは、ユーザーの違和感を抑制し慣れを促進するための十分な期間が必要であり、使用回数にもよるが数ヶ月以上の期間を設けることが望ましい。ｋの変更間隔は数秒から数分といった短期間である必要はなく、数時間から数日おきでよい。
【００３０】
表示特性補正部３が表示特性を第１表示特性Ｄ１から第２表示特性Ｄ２へ変化させるまでの期間は、例えば、２日〜３６０日であり、具体的には例えば２日、５日、１０日、３０日、６０日、９０日、１２０日、２４０日、３６０日であり、ここで例示した数値の何れか１つ以上又は何れか２つの間の範囲内であってもよい。また、表示特性の変更間隔は、特に限定されないが、例えば、１時間〜１０日であり、具体的には例えば１時間、３時間、６時間、１２時間、１日、２日、５日、１０日であり、ここで例示した数値の何れか２つの間の範囲内であってもよい。例えば、変化期間が１０日で、変更間隔が１日である場合、上記補正値算出式でのｋの値は、０、０．１、０．２、０．３、０．４、０．５、０．６、０．７、０．８、０．９、１と変化させることができ、変更間隔が１２時間である場合、上記補正値算出式でのｋの値は、０、０．０５、０．１、０．１５・・・０．９、０．９５、１と変化させることができる。
【００３１】
また、別の観点では、例えば、第１表示特性Ｄ１から第２表示特性Ｄ２へ変化を規定回数段階で完了するように設定することができる。規定回数は、例えば２〜５０回であり、具体的には例えば２、３、５、１０、２０、３０、４０、５０段階であり、ここで例示した数値の何れか２つの間の範囲内であってもよい。この設定方法によれば、例えば、変化期間が３０日で、５段階で変化を完了させる場合、６日毎に表示特性を変更すればよい。
【００３２】
また、ユーザーが表示装置１を使用している際中に表示特性が変化すると、ユーザーは表示特性の変化に気づきやすくなる。そこで、表示装置１の使用中に表示特性を変化させる時点が到来した場合でも、使用中は表示特性を変化させずに、表示装置１の不使用時又は使用開始時に表示特性を変化させることが好ましい。従って、例えば、表示装置１の電源ＯＦＦ後に電源をＯＮするタイミングで表示特性を変化させたり、人感センサが設置されている場合には人の不存在が検出されている間に表示特性を変化させたりすることが好ましい。
【００３３】
表示特性補正部３が表示特性を第１表示特性Ｄ１から第２表示特性Ｄ２へ変化させるまでの変化時間、又は表示特性を第１表示特性Ｄ１から第２表示特性Ｄ２へ変化させる際の変化速度（一定時間当たりの変化割合）は、変化条件設定部１３によって設定可能である。変化条件設定部１３はユーザーが操作可能であり、ユーザーは、自分の好みに合わせて、変化時間や変化速度を設定することができる。例えば、ユーザーは、表示特性を非常にゆっくりと変化させたい場合には、変化時間を１００日といった比較的長期間に設定したり、変化速度を例えば１日１％といった緩やかなものに設定したりすることができる。
【００３４】
変化条件設定部１３は、第１表示特性Ｄ１と第２表示特性Ｄ２の差に基いて、表示特性の変更を完了させるまでの時間を決定するようにしてもよい。変更前後の表示特性の差が大きいほど、ユーザーは違和感を感じやすくなるため、変更前後の表示特性の差が大きいほど、長い時間をかけて、表示特性の変更を行うことが好ましい。「差」の一例は、色差（ΔＥ＊ａｂ）であり、第１表示特性Ｄ１と第２表示特性Ｄ２の色差（ΔＥ＊ａｂ）は、後述する図３のステップＳＴ２と同様の方法で算出することができる。
【００３５】
さらに、変化条件設定部１３は、表示特性を変化させる前後の色差が所定値以下になるように、表示特性の変化速度を設定するようにしてもよい。この方法の具体例を図３を用いて説明する。
【００３６】
まず、ステップＳＴ１では、変更後の表示特性を仮設定する。具体的には、補正値を、変更後の表示特性に対応した値に仮設定する。例えば、上記の補正値算出式において、変更前の表示特性に対応した補正値が０．９Ｖ１＋０．１Ｖ２（ｋ＝０．１に相当）である場合、変更後の表示特性に対応した補正値は、例えば０．８Ｖ１＋０．２Ｖ２（ｋ＝０．２に相当）とする。
【００３７】
次に、ステップＳＴ２では、変更前後の表示特性の色差（ΔＥ＊ａｂ）を算出する。ΔＥ＊ａｂの算出方法は、以下の通りである。（１）まず、ＲＧＢＷの４点（つまり、８ビットの入力ＲＧＢ値が（２５５，０，０）、（０，２５５，０，）、（０，０，２５５）、（２５５，２５５，２５５）に対応する４点）について、変更前後の表示特性での三刺激値Ｘ，Ｙ，Ｚを測定部９で測定する。（２）次に、三刺激値Ｘ，Ｙ，ＺをＬ＊，ａ＊，ｂ＊に変換し、以下の式に基いて、ＲＧＢＷの４点のそれぞれについてΔＥ＊ａｂを算出し、その平均値を求める。以下の式中において、下付きの１及び２は、それぞれ、変更前の表示特性及び変更後の表示特性での三刺激値Ｘ，Ｙ，Ｚから得られた値を示す。
ΔＥ＊ａｂ＝｛（ΔＬ＊）２＋（Δａ＊）２＋（Δｂ）２｝１／２
ΔＬ＊＝Ｌ＊１−Ｌ＊２
Δａ＊＝ａ＊１−ａ＊２
Δｂ＊＝ｂ＊１−ｂ＊２
【００３８】
なお、色差の算出方法は、ここで示したものに限定されず、例えば、ＲＧＢＷの４点の平均値を採用する代わりに、別の数点の平均値を採用してもよく、例えば、Ｗの１点での色差を採用してもよい。
【００３９】
次に、ステップＳＴ３では、ΔＥ＊ａｂが所定の上限値以上であるかどうかの判断を行う。ΔＥ＊ａｂの値は、表示特性の変化の大きさを表す指標であり、この値が上限値を超えると、ユーザーが表示特性の変化に違和感を覚えやすくなる。
【００４０】
ΔＥ＊ａｂが上限値を超えている場合（ステップＳＴ３でＹＥＳの場合）、ステップＳＴ１で仮設定した変更後の表示特性が不適切であった（変化量が大きすぎた）ことになり、ステップＳＴ４では、ΔＥ＊ａｂが上限値となるように、変更後の表示特性を設定し直す。具体的には例えば、まず、ΔＥ＊ａｂ＝上限値となるようなＲＧＢＷの４点でのＸＹＺを逆算し、そのようなＸＹＺを生じさせるようなＲＧＢ値を決定し、次に、そのようなＲＧＢ値を生成するように、補正値を設定する。また、別の方法としては、ステップＳＴ１に戻り、表示特性の変化量がより小さくなるように補正値を再設定して、ステップＳＴ２以降を実行してもよい。再設定する補正値は、例えば、０．８５Ｖ１＋０．１５Ｖ２（ｋ＝０．１５に相当）である。
【００４１】
ΔＥ＊ａｂが上限値以下である場合（ステップＳＴ３でＮＯの場合）、ステップＳＴ１で仮設定した変更後の表示特性が問題なかったことになるので、ステップＳＴ５では、仮設定した表示特性をそのまま採用する。
【００４２】
次に、ステップＳＴ６では、ステップＳＴ４又はＳＴ５で設定された変更後の表示特性の適用を開始する。
【００４３】
以上の方法による判断を行うことにより、表示特性を変化させる前後の色差が大きくなりすぎることを防ぐことができ、これによって、ユーザーが表示特性の変化による違和感を感じることを防ぐことができる。
【００４４】
上記の例において、変更後の補正値が０．８Ｖ１＋０．２Ｖ２（ｋ＝０．２に相当）に設定された場合、その後、所定時間経過後に、この変更後の補正値を変更前の補正値とし、ステップＳＴ１で新たに変更後の補正値を例えば０．７Ｖ１＋０．３Ｖ２（ｋ＝０．３に相当）に設定して、ステップＳＴ２以降を実行する。
【００４５】
なお、図３のフローは、表示特性を変化させる度に実行させてもよく、表示特性を数段回で変化させる場合に各段階の変化量が同じであったり変化量が後の段階ほど小さくなる場合には最初に表示特性を変化させる場合にのみ実行させてもよい。
【００４６】
（第２実施形態）
図４は、本発明の第２実施形態の表示装置１の構成を示すブロック図である。本実施形態は、表示装置１の表示特性を第１表示特性Ｄ１から第２表示特性Ｄ２に２日以上かけて変化させるという点は第１実施形態と共通しているが、その具現化方法が第１実施形態と異なっている。
【００４７】
本実施形態では、第１補正実行部１５ａが第１補正値Ｖ１に従って表示特性の補正を行って補正後画像信号ＳＡを出力し、第２補正実行部１５ｂが第２補正値Ｖ２に従って表示特性の補正を行って補正後画像信号ＳＢを出力し、信号合成部３１が、出力する補正後画像信号Ｓ２を、第１画像信号ＳＡから第２画像信号ＳＢまで２日以上かけて変化させる。第１画像信号ＳＡが第１表示特性Ｄ１に対応し、第２画像表示特性ＳＢが第２表示特性Ｄ２に対応するので、このような構成によって、表示装置１の表示特性を第１表示特性Ｄ１から第２表示特性Ｄ２に２日以上かけて変化させることが可能になる。
【００４８】
第１及び第２補正実行部１５ａ，１５ｂは第１実施形態の補正実行部１５と同様の構成を有しているものである。第１及び第２補正値Ｖ１，Ｖ２も、第１実施形態と同様であり、測定部９からの測定値に基いて値が補正される点を除いては固定された値である。
【００４９】
信号合成部３１は、時間経過に従って出力値を２日以上かけて変化させるという点では、第１実施形態の補正量算出部１７に類似した機能を有するが、補正量算出部１７が補正値を第１補正値Ｖ１から第２補正値Ｖ２へ変化させるものであるのに対し、信号合成部３１は、補正後画像信号Ｓ２を、第１画像信号ＳＡから第２画像信号ＳＢまで変化させるものである点が異なっている。
【００５０】
信号合成部３１が補正後画像信号Ｓ２を、第１画像信号ＳＡから第２画像信号ＳＢまで変化させる方法は特に限定されず、開始時点での補正後画像信号Ｓ２が第１画像信号ＳＡであり、そこから時間の経過とともに徐々に第２画像信号ＳＢに近づく方法であればよい。一例としては、信号合成部３１が出力する補正後画像信号Ｓ２は、以下のように、第１画像信号ＳＡと第２画像信号ＳＢの線形結合（加重平均）によって算出することができる。
[画像信号合成式]
補正後画像信号Ｓ２＝（１−ｋ）（ＳＡ）＋ｋ（ＳＢ）（但し、０≦ｋ≦１）
【００５１】
第１及び第２画像信号ＳＡ，ＳＢは、それぞれ、Ｒ，Ｇ，Ｂの階調値で表現されたデータである。Ｒについては、第１画像信号ＳＡのＲの階調値と、第２画像信号ＳＢのＲの階調値について上記の画像信号合成式に従って計算を行うことによって、補正後画像信号Ｓ２のＲの階調値を得る。Ｇ，Ｂについても同様である。
【００５２】
上記の画像信号合成式において、ｋの変化の態様は、第１実施形態の補正値算出式で説明したものと同じである。つまり、信号合成部３１は、時間経過算出部７で算出された時間経過、及び変化条件設定部１３で設定された変化条件に従って、ｋを０から１に向けて遷移させる。
【００５３】
第１実施形態では、上記の補正値算出式に基いて算出される補正値を用いて、図３のフローの説明を行ったが、画像信号合成式によって求まる補正後画像信号Ｓ２を用いても同様の説明が可能である。例えば、ステップＳＴ１では、変更前の表示特性に対応した補正後画像信号Ｓ２が０．９ＳＡ＋０．１ＳＢ（ｋ＝０．１に相当）である場合、変更後の表示特性に対応した補正後画像信号Ｓ２は例えば０．８ＳＡ＋０．２ＳＢ（ｋ＝０．２に相当）とすることができる。
【００５４】
第１実施形態と第２実施形態を比較すると、第２実施形態は、補正量算出部が１７が必要ない代わりに信号合成部３１が必要であり、さらに、２つの補正実行部が必要である。このため、第２実施形態は、第１実施形態よりも表示特性補正部３を実現するための回路の規模が大きくなりやすいという点では、第１実施形態よりも不利である。しかし、第２実施形態の各補正実行部の構成は、既存のものと変わらないので、第２実施形態は、既存のＬＳＩを流用して構成しやすいという利点がある。逆に、第１実施形態は、回路規模を比較的小さくしやすいという利点がある。
【要約】
【課題】表示特性の変化による違和感をユーザーに感じさせることなく、改善された表示特性での表示を可能とする表示装置を提供する。
【解決手段】本発明によれば、入力された画像信号を補正して所望の表示特性で表示パネルに画像を表示させる補正後画像信号に変換する表示特性補正部と、時間経過を算出する時間経過算出部とを備え、前記表示特性補正部は、前記時間経過算出部の出力に基いて、前記表示特性を、第１表示特性から第２表示特性に２日以上かけて変化させる、表示装置が提供される。
【選択図】図１【図１】
0005426784.tif 000002
【図２】
0005426784.tif 000003
【図３】
0005426784.tif 000004
【図４】
0005426784.tif 000005